(57)【要約】      （修正有）【課題】掛合フラップ蓋の中心部を外から内方へ手で強く押込んでも掛合フラップ蓋を開蓋させることができないように改良したダンボール箱を提供する。【解決手段】フラップ蓋Ａ，Ｂを設け、その少なくとも一方のフラップ蓋を、第１・第２の掛合フラップ片６，７と第１・第２の貼着フラップ片８，９との４枚フラップ片で構成し、第１・第２掛合フラップ片にフラップ片掛止め用の切欠部６ａ，７ａと傾斜折曲線ｍ，ｎ及び貼着舌片部６ｃ，７ｃを設け、貼着舌片部の内面を貼着フラップ片の外面部に接着してなるダンボール箱において、第１掛合フラップ片６の切欠部６ａと第２掛合フラップ片７の切欠部７ａをレ形状の切欠部６Ａ，７Ａで形成し、レ形状切欠部の開口端隅角部１６，１７がフラップ蓋Ｂの平面展開掛合時において掛合相手のフラップ片内面部に当接して掛合フラップ蓋Ｂの内方への押込み開蓋を阻止する閉蓋ストッパとして作用するようにした。【選択図】図１
0003106605.tif 000002
【実用新案登録請求の範囲】
【請求項１】
前面壁１と左側面壁２と後面壁３と右側面壁４とを折畳み可能に連設した箱本体５に、該箱本体５の上下端開口部を閉塞するフラップ蓋Ａ，Ｂを設け、この上下フラップ蓋の少なくとも一方のフラップ蓋を、箱本体５の前面壁１及び後面壁３に折目線ｅ，ｇを介して連設される第１・第２の掛合フラップ片６，７と、左側面壁２及び右側面壁４に折目線ｆ，ｈを介して連設される第１・第２の貼着フラップ片８，９との４枚フラップ片で構成し、前記第１掛合フラップ片６の先端縁中央部と前記第２掛合フラップ片７の先端縁中央部に互いに係合可能なフラップ片掛止め用の切欠部６ａ，７ａを設けると共に、前記第１・第２の掛合フラップ片６，７に、その折目線ｅ，ｇとフラップ片一側縁６ｂ，７ｂとのコーナー部から掛合フラップ片６，７の先端縁まで達する傾斜折曲線ｍ，ｎをフラップ片折目線ｅ，ｇに対して略４５度の傾斜角度で設け、この傾斜折曲線ｍ，ｎとフラップ片一側縁６ｂ，７ｂ及びフラップ片先端縁で囲まれる貼着舌片部６ｃ，７ｃの内面を前記第１貼着フラップ片８の外面部と第２貼着フラップ片９の外面部に左側面壁２及び右側面壁４が前面壁１及び後面壁４に対して略直角に箱組できる位置関係をもって接着してなるダンボール箱において、
前記第１掛合フラップ片６の切欠部６ａと前記第２掛合フラップ片７の切欠部７ａを、掛合フラップ片６，７の先端縁から略直角に切込んだ直状切り線ｒと掛合フラップ片６，７の先端縁から直状切り線ｒの内端に達するように略４５度の傾斜角度で切込んだ傾斜切り線ｔとで画定されるレ形状の切欠部６Ａ，７Ａで形成し、このレ形状切欠部６Ａ，７Ａの開口端隅角部１６，１７がフラップ蓋Ｂの平面展開掛合時において掛合相手のフラップ片内面部に当接して掛合フラップ蓋Ｂの内方への押込み開蓋を阻止する閉蓋ストッパとして作用するようにしたことを特徴とするダンボール箱。
【請求項２】
上下両方のフラップ蓋Ａ，Ｂが箱本体５の前面壁１及び後面壁３に折目線ｅ，ｇ・ｉ，ｋを介して連設される第１・第２の掛合フラップ片６，７と、左側面壁２及び右側面壁４に折目線ｆ，ｈ・ｉ，ｌを介して連設される第１・第２の貼着フラップ片８，９との４枚ずつのフラップ片で構成されていること、
前記第１掛合フラップ片６の先端縁中央部と第２掛合フラップ片７の先端縁中央部に設けられるフラップ片掛止め用の切欠部６ａ，７ａが、掛合フラップ片６，７の先端縁から略直角に切込んだ直状切り線ｒと掛合フラップ片６，７の先端縁から直状切り線ｒの内端に達するように略４５度の傾斜角度で切込んだ傾斜切り線ｔとで画定されるレ形状の切欠部６Ａ，７Ａで形成され、このレ形状切欠部の開口端隅角部１６，１７がフラップ蓋Ａ，Ｂの平面展開掛合時において掛合相手のフラップ片内面部に当接して掛合フラップ蓋Ａ，Ｂの内方への押込み開蓋を阻止する閉蓋ストッパとして作用するようにしたこと、
前記箱本体５を構成する前面壁１・左側面壁２・後面壁３・右側面壁４の中の少なくとも１つの壁面の上部に、切り目線１２で画定された手で押込んで箱本体５内に切り落とすことができる横長形状をなした書類投入用のプッシュ開口蓋１３を設けたこと、を特徴とする請求項１に記載のダンボール箱。
【考案の詳細な説明】
【技術分野】
【０００１】
この考案は廃棄対象の機密書類等を収納保管し、それが満杯になった時に機密書類等が他人に取られないように閉蓋して、焼却場や溶融工場等の安全処理施設に運搬するために使用するダンボール箱に関するものである。
【背景技術】
【０００２】
従来、前記のような目的で使用されるダンボール箱として図８乃至図１０に示すようなものが知られている。
【０００３】
この従来公知のダンボール箱は、前面壁１と左側面壁２と後面壁３と右側面壁４とを折目線ａ，ｂ，ｃを介して連設し、前面壁１に折目線ｄを介して連設される糊付片１ａを右側面壁４の遊端側内面糊付部４ａに接着した構成の菱形扁平に折畳み可能な箱本体５を備え、この箱本体５に該箱本体の上下端開口部を閉塞するフラップ蓋Ａ，Ｂを設けている。
【０００４】
この上下フラップ蓋Ａ，Ｂの一方のフラップ蓋例えば図８において下側のフラップ蓋Ｂは、箱本体５の前面壁１及び後面壁３に折目線ｅ，ｇを介して連設される第１・第２の掛合フラップ片６，７と、左側面壁２及び右側面壁４に折目線ｆ，ｈを介して連設される第１・第２の貼着フラップ片８，９との４枚フラップ片で構成されている。
【０００５】
また、他方のフラップ蓋例えば図８において上側のフラップ蓋Ａは、箱本体５の左側面壁２及び右側面壁４に折目線ｊ，ｌを介して連設される短寸方形状の内折フラップ片Ａ２，Ａ４と、箱本体５の前面壁１及び後面壁３に折目線ｉ，ｋを介して連設される長寸方形状の重合フラップ片Ａ１，Ａ３との４枚フラップ片で構成されている。なお、この上側フラップ蓋Ａは書類が満杯となった最後の蓋閉じ時に内折フラップ片Ａ２，Ａ４を内方に折り曲げ、その外側に重合フラップ片Ａ１，Ａ３を折曲重合させて、この外側重合フラップ片Ａ１，Ａ３の接合部を粘着テープで貼着することにより閉蓋される。
【０００６】
前記第１掛合フラップ片６と第２掛合フラップ片７には、その先端縁中央部に位置して互いに係合可能なフラップ片掛止め用の切欠部６ａ，７ａが設けられている。また、前記第１・第２の掛合フラップ片６，７には、その折目線ｅ，ｇとフラップ片一側縁６ｂ，７ｂとのコーナー部から掛合フラップ片６，７の先端縁まで達する傾斜折曲線ｍ，ｎ（破線状の切り線と切り線間の内折目線とで形成されいる）がフラップ片折目線ｅ，ｇに対して略４５度の傾斜角度で設けられ、この傾斜折曲線ｍ、ｎとフラップ片一側縁６ｂ，７ｂ及びフラップ片先端縁で囲まれる貼着舌片部６ｃ，７ｃの内面を第１貼着フラップ片８の外面部と第２貼着フラップ片９の外面部に左側面壁２及び右側面壁４が前面壁１及び後面壁３に対して略直角に箱組できる図９のような位置関係をもって接着して構成されている。
【０００７】
図９は糊付片１ａを右側面壁４の遊端側内面糊付部４ａから剥離し、左側面壁２と後面壁３を直状に伸展させた状態の横断平面図を示しており、この状態で箱本体５の半分例えば後面壁３と右側面壁４の結合体を折目線ｂの位置から内方へ９０度の角度で折り曲げ、糊付片１ａを右側面壁４の遊端側内面糊付部４ａに接着させれば、第１・第２の掛合フラップ片６，７が切欠部６ａ，７ａで噛合うように図１０の如く掛合して下側のフラップ蓋Ｂが形成される。
【考案の開示】
【考案が解決しようとする課題】
【０００８】
しかし、前記従来のダンボール箱は、第１掛合フラップ片６の切欠部６ａと第２掛合フラップ片７の切欠部７ａが、掛合フラップ片６，７の先端縁からＶ字形に切込んだ９０度の開き角度を有する等開脚（左右対称）のＶ形切欠で形成されているので、このＶ形切欠部６ａ，７ａの開口端両側に形成される角部はフラップ蓋Ｂの図１０の如き平面展開掛合時において掛合フラップ蓋Ｂの内方への押込み開蓋を阻止する閉蓋ストッパとして作用せず、このため機密書類等を箱詰め封緘した後で掛合フラップ蓋Ｂの中心部を外から内方へ手で強く押込むと掛合フラップ蓋Ｂが開蓋して、箱内の機密書類等を他人に取られることが起こるという問題があった。
【０００９】
この考案は、前記事情に着目してなされたもので、その目的とするところは、機密書類等を箱詰め封緘した後で掛合フラップ蓋の中心部を外から内方へ手で強く押込んでも掛合フラップ蓋を開蓋させることができないように改良したダンボール箱を提供することにある。
【課題を解決するための手段】
【００１０】
この考案は、前記の目的を達成するために、請求項１は、前面壁１と左側面壁２と後面壁３と右側面壁４とを折畳み可能に連設した箱本体５に、該箱本体５の上下端開口部を閉塞するフラップ蓋Ａ，Ｂを設け、この上下フラップ蓋の少なくとも一方のフラップ蓋を、箱本体５の前面壁１及び後面壁３に折目線ｅ，ｇを介して連設される第１・第２の掛合フラップ片６，７と、左側面壁２及び右側面壁４に折目線ｆ，ｈを介して連設される第１・第２の貼着フラップ片８，９との４枚フラップ片で構成し、前記第１掛合フラップ片６の先端縁中央部と前記第２掛合フラップ片７の先端縁中央部に互いに係合可能なフラップ片掛止め用の切欠部６ａ，７ａを設けると共に、前記第１・第２の掛合フラップ片６，７に、その折目線ｅ，ｇとフラップ片一側縁６ｂ，７ｂとのコーナー部から掛合フラップ片６，７の先端縁まで達する傾斜折曲線ｍ，ｎをフラップ片折目線ｅ，ｇに対して略４５度の傾斜角度で設け、この傾斜折曲線ｍ，ｎとフラップ片一側縁６ｂ，７ｂ及びフラップ片先端縁で囲まれる貼着舌片部６ｃ，７ｃの内面を前記第１貼着フラップ片８の外面部と第２貼着フラップ片９の外面部に左側面壁２及び右側面壁４が前面壁１及び後面壁４に対して略直角に箱組できる位置関係をもって接着してなるダンボール箱において、
前記第１掛合フラップ片６の切欠部６ａと前記第２掛合フラップ片７の切欠部７ａを、掛合フラップ片６，７の先端縁から略直角に切込んだ直状切り線ｒと掛合フラップ片６，７の先端縁から直状切り線ｒの内端に達するように略４５度の傾斜角度で切込んだ傾斜切り線ｔとで画定されるレ形状の切欠部６Ａ，７Ａで形成し、  このレ形状切欠部６Ａ，７Ａの開口端隅角部１６，１７がフラップ蓋Ｂの平面展開掛合時において掛合相手のフラップ片内面部に当接して掛合フラップ蓋Ｂの内方への押込み開蓋を阻止する閉蓋ストッパとして作用するようにしたことを特徴とする。
【００１１】
請求項２は、上下両方のフラップ蓋Ａ，Ｂが箱本体５の前面壁１及び後面壁３に折目線ｅ，ｇ・ｉ，ｋを介して連設される第１・第２の掛合フラップ片６，７と、左側面壁２及び右側面壁４に折目線ｆ，ｈ・ｉ，ｌを介して連設される第１・第２の貼着フラップ片８，９との４枚ずつのフラップ片で構成されていること、
前記第１掛合フラップ片６の先端縁中央部と第２掛合フラップ片７の先端縁中央部に設けられるフラップ片掛止め用の切欠部６ａ，７ａが、掛合フラップ片６，７の先端縁から略直角に切込んだ直状切り線ｒと掛合フラップ片６，７の先端縁から直状切り線ｒの内端に達するように略４５度の傾斜角度で切込んだ傾斜切り線ｔとで画定されるレ形状の切欠部６Ａ，７Ａで形成され、このレ形状切欠部の開口端隅角部１６，１７がフラップ蓋Ａ，Ｂの平面展開掛合時において掛合相手のフラップ片内面部に当接して掛合フラップ蓋Ａ，Ｂの内方への押込み開蓋を阻止する閉蓋ストッパとして作用するようにしたこと、
前記箱本体５を構成する前面壁１・左側面壁２・後面壁３・右側面壁４の中の少なくとも１つの壁面の上部に、切り目線１２で画定された手で押込んで箱本体５内に切り落とすことができる横長形状をなした書類投入用のプッシュ開口蓋１３を設けたこと、を特徴とする。
【考案の効果】
【００１２】
この考案の請求項１に係るダンボール箱は、第１掛合フラップ片６の切欠部６ａと第２掛合フラップ片７の切欠部７ａを、掛合フラップ片６，７の先端縁から略直角に切込んだ直状切り線ｒと掛合フラップ片６，７の先端縁から直状切り線ｒの内端に達するように略４５度の傾斜角度で切込んだ傾斜切り線ｔとで画定されるレ形状の切欠部６Ａ，７Ａで形成し、このレ形状切欠部６Ａ，７Ａの開口端隅角部１６，１７がフラップ蓋の平面展開掛合時において掛合相手のフラップ片内面部に当接して掛合フラップ蓋の内方への押込み開蓋を阻止する閉蓋ストッパとして作用するように構成したので、機密書類等を箱詰め封緘した後で掛合フラップ蓋の中心部を外から内方へ手で強く押込んでも掛合フラップ蓋Ｂを開蓋させることができず、このため箱詰めした機密書類等を他人に取られるということを防止できるという優れた実用上の効果を奏する。  
この考案の請求項２に係るダンボール箱は、上下両方のフラップ蓋Ａ，Ｂが箱本体５の前面壁１及び後面壁３に折目線ｅ，ｇ・ｉ，ｋを介して連設される第１・第２の掛合フラップ片６，７と、左側面壁２及び右側面壁４に折目線ｆ，ｈ・ｉ，ｌを介して連設される第１・第２の貼着フラップ片８，９との４枚ずつのフラップ片で構成されているので、片方のフラップ蓋を粘着テープで閉蓋止着しなくても、菱形扁平折畳み箱を方形箱に押し広げて掛合フラップ片６，７を切欠部６Ａ，７Ａで掛合させるたげで、押し開け不能な上下フラップ蓋Ａ，Ｂを簡単に形成することができ、また組立てられた方形箱内への書類投入も書類投入用のプッシュ開口蓋１３を押し開けることで容易に行うことができる。
【考案を実施するための最良の形態】
【００１３】
以下、この考案の実施の形態を図1乃至図5の図面に従い具体的に説明する。
【００１４】
図１はこの考案の第１の実施例によるダンボール箱の展開平面図、図２は同ダンボール箱を、箱本体の糊付片を右側面壁の糊付部から剥離し、左側面壁と後面壁を直状に伸展させた状態で示した横断平面図、図３は同ダンボール箱の組立状態の横断平面図であって、分図（ａ）は前面壁及び左側面壁側の掛合フラップ片及び貼着フラップ片を実線で示し、後面壁及び右側面壁側の掛合フラップ片及び貼着フラップ片を想像線で示した横断平面図、分図（ｂ）は掛合フラップ片の掛合状態を箱本体の内面側から見た横断平面図である。
【００１５】
また図４は図３（ｂ）の状態を下側から見た箱組立状態の底面図、図５図は前記ダンボール箱を菱形扁平の折畳み状態で示した一部切欠正面図である。
【００１６】
この実施例のダンボール箱は、前面壁１と左側面壁２と後面壁３と右側面壁４とを折目線ａ，ｂ，ｃを介して連設し、前面壁１に折目線ｄを介して連設される糊付片１ａを右側面壁４の遊端側内面糊付部４ａに接着した構成の菱形扁平に折畳み可能な箱本体５を備え、この箱本体５に該箱本体の上下端開口部を閉塞するフラップ蓋Ａ，Ｂを設けている。
【００１７】
この上下フラップ蓋Ａ，Ｂの一方のフラップ蓋例えば図１において下側のフラップ蓋Ｂは、箱本体５の前面壁１及び後面壁３に折目線ｅ，ｇを介して連設される第１・第２の掛合フラップ片６，７と、左側面壁２及び右側面壁４に折目線ｆ，ｈを介して連設される第１・第２の貼着フラップ片８，９との４枚フラップ片で構成されている。
【００１８】
また、他方のフラップ蓋例えば図１において上側のフラップ蓋Ａは、箱本体５の左側面壁２及び右側面壁４に折目線ｊ，ｌを介して連設される短寸方形状の内折フラップ片Ａ２，Ａ４と、箱本体５の前面壁１及び後面壁３に折目線ｉ，ｋを介して連設される長寸方形状の重合フラップ片Ａ１，Ａ３との４枚フラップ片で構成されている。なお、この上側フラップ蓋Ａは書類が満杯となった最後の蓋閉じ時に内折フラップ片Ａ２，Ａ４を内方に折り曲げ、その外側に重合フラップ片Ａ１，Ａ３を折曲重合させて、この外側重合フラップ片Ａ１，Ａ３の接合部を粘着テープ（図示せず）で貼着することにより閉蓋される。
【００１９】
前記第１掛合フラップ片６と第２掛合フラップ片７には、その先端縁中央部に位置して互いに係合可能なフラップ片掛止め用の切欠部６ａ，７ａが設けられている。また、前記第１・第２の掛合フラップ片６，７には、その折目線ｅ，ｇとフラップ片一側縁６ｂ，７ｂとのコーナー部から掛合フラップ片６，７の先端縁まで達する傾斜折曲線ｍ，ｎ（破線状の切り線と切り線間の内折目線とで形成されいる）がフラップ片折目線ｅ，ｇに対して略４５度の傾斜角度で設けられ、この傾斜折曲線ｍ、ｎとフラップ片一側縁６ｂ，７ｂ及びフラップ片先端縁で囲まれる貼着舌片部６ｃ，７ｃの内面を第１貼着フラップ片８の外面部と第２貼着フラップ片９の外面部に左側面壁２及び右側面壁４が前面壁１及び後面壁３に対して略直角に箱組できる図９のような位置関係をもって接着して構成されている。
【００２０】
以上の構成は、前述した従来のダンボール箱と同様である。
【００２１】
而して本考案においては、前記第１掛合フラップ片６の切欠部６ａと前記第２掛合フラップ片７の切欠部７ａを、掛合フラップ片６，７の先端縁から略直角に切込んだ直状切り線ｒ（略４ｃｍ位の切込み深さを有する）と掛合フラップ片６，７の先端縁から直状切り線ｒの内端に達するように略４５度の傾斜角度で切込んだ傾斜切り線ｔとで画定されるレ形状の切欠部６Ａ，７Ａで形成し、  このレ形状切欠部６Ａ，７Ａの開口端隅角部１６，１７がフラップ蓋Ｂの平面展開掛合時において掛合相手のフラップ片内面部に当接して掛合フラップ蓋Ｂの内方への押込み開蓋を阻止する閉蓋ストッパとして作用するように構成している点、前記第２掛合フラップ片７の他側縁を切欠部７Ａの開口端隅角部１７に滑らかに連なる円弧縁７ｄで形成している点が相違している。その他の構成は前記従来のものと略同様であるから、同一部分に同符号を付して詳細な構成説明は省略する。  
図２は糊付片１ａを右側面壁４の遊端側内面糊付部４ａから剥離し、左側面壁２と後面壁３を直状に伸展させた状態の横断平面図を示しており、この状態で箱本体５の半分例えば後面壁３と右側面壁４の結合体を折目線ｂの位置から内方へ９０度の角度で折り曲げ、糊付片１ａを右側面壁４の遊端側内面糊付部４ａに接着させれば、第１・第２の掛合フラップ片６，７が切欠部６Ａ，７Ａで噛合うように図３、図４の如く掛合して下フラップ蓋Ｂが形成される。
【００２２】
図５は前記のように構成されたダンボール箱を菱形扁平の箱折畳み状態で示した一部切欠正面図であり、この箱折畳み状態では掛合フラップ片６と貼着フラップ片８が傾斜折曲線ｍの位置からＶ形状に折畳まれ、掛合フラップ片７と貼着フラップ片９が傾斜折曲線ｎの位置からＶ形状に折畳まれて、箱本体５内に折畳み収納される。そして、この箱折畳み状態で箱使用者に供給され、箱使用者は菱形扁平折畳み箱を方形箱に押し広げて図３、図４のような状態に組立てて、機密書類等の廃棄処理箱として使用する。
【００２３】
このような使用によって箱本体５内に書類が満杯になった時には、上側フラップ蓋Ａは内折フラップ片Ａ２，Ａ４を内方に折り曲げ、その外側に重合フラップ片Ａ１，Ａ３を折曲重合させて、この外側重合フラップ片Ａ１，Ａ３の接合部を粘着テープ（図示せず）で貼着することにより閉蓋される。
【００２４】
図６及び図７はこの考案の第２の実施例を示す。
【００２５】
この実施例のダンボール箱は上下両方のフラップ蓋Ａ，Ｂが箱本体５の前面壁１及び後面壁３に折目線ｅ，ｇ・ｉ，ｋを介して連設される第１・第２の掛合フラップ片６，７と、左側面壁２及び右側面壁４に折目線ｆ，ｈ・ｊ，ｌを介して連設される第１・第２の貼着フラップ片８，９との４枚フラップ片で構成されている点、
前記箱本体５を構成する前面壁１・左側面壁２・後面壁３・右側面壁４の中の少なくとも１つの壁面（図示例では左側面壁２）の上部に、切り目線１２で画定された手で押込んで箱本体５内に切り落とすことができる横長形状をなした書類投入用のプッシュ開口蓋１３を設け、このプッシュ開口蓋１３を開蓋して機密書類等を箱体内へ投入し、それが満杯になった時に封印用シールを貼り、その上から粘着テープで止めて封緘するように構成した点が、前記実施例と相違している。その他の構成は前記実施例のもの略同様であるから、同一部分に同符号を付して詳細な説明は省略する。
【００２６】
図７は前記のように構成されたダンボール箱を菱形扁平の箱折畳み状態で示した一部切欠正面図であり、この箱折畳み状態では上下フラップ蓋Ａ，Ｂの掛合フラップ片６と貼着フラップ片８が傾斜折曲線ｍの位置からＶ形状に折畳まれ、上下フラップ蓋Ａ，Ｂの掛合フラップ片７と貼着フラップ片９が傾斜折曲線ｎの位置からＶ形状に折畳まれて、箱本体５内に折畳み収納される。そして、この箱折畳み状態で箱使用者に供給され、箱使用者は菱形扁平折畳み箱を方形箱に押し広げて、上下端が掛合フラップ蓋Ａ，Ｂで閉塞された方形箱を組立て、それを機密書類等の廃棄処理箱として使用する。この使用時には書類投入用のプッシュ開口蓋１３を押し開けること、前述した通りである。
【００２７】
なお、この考案は前記実施形態そのままに限定されるものではなく、実施段階ではその要旨を逸脱しない範囲で構成要素を変形して具体化できる。また、前記実施形態に開示されている複数の構成要素の適宜な組合せにより種々の考案を形成できる。例えば、実施形態に示される全構成要素から幾つかの構成要素を削除してもよい。さらに、異なる実施形態に亘る構成要素を組合わせてもよい。
【図面の簡単な説明】
【００２８】
【図１】この考案の第１の実施形態に係るダンボール箱の展開平面図。
【図２】同ダンボール箱を、箱本体の糊付片を右側面壁の糊付部から剥離し、左側面壁と後面壁を直状に伸展させた状態で示した横断平面図。
【図３】同ダンボール箱の組立状態の横断平面図であって、分図（ａ）は前面壁及び左側面壁側の掛合フラップ片及び貼着フラップ片を実線で示し、後面壁及び右側面壁側の掛合フラップ片及び貼着フラップ片を想像線で示した横断平面図、分図（ｂ）は掛合フラップ片の掛合状態を箱本体の内面側から見た横断平面図。
【図４】図３（ｂ）の状態を下側から見た箱組立状態の底面図。
【図５】前記ダンボール箱を菱形扁平の折畳み状態で示した一部切欠正面図。
【図６】この考案の第２の実施形態に係るダンボール箱の展開平面図。
【図７】第２の実施形態に係るダンボール箱を菱形扁平の折畳み状態で示した一部切欠正面図。
【図８】従来のダンボール箱を示した展開平面図。
【図９】従来のダンボール箱を、箱本体の糊付片を右側面壁の糊付部から剥離し、左側面壁と後面壁を直状に伸展させた状態で示した横断平面図。
【図１０】同ダンボール箱の組立状態の横断平面図。
【符号の説明】
【００２９】
１…前面壁、１ａ…糊付片、２…左側面壁、３…後面壁、４…右側面壁、４ａ…糊付部、５…箱本体、Ａ，Ｂ…上下のフラップ蓋、ａ〜ｌ…折目線、ｍ，ｎ…傾斜折曲線、６…第１の掛合フラップ片、７…第２の掛合フラップ片、６ａ，７ａ…フラップ片掛止め用の切欠部、６Ａ，７Ａ…レ形状の切欠部、ｒ…直状切り線、ｔ…傾斜切り線、６ｂ，７ｂ…フラップ片一側縁、６ｃ，７ｃ…貼着舌片部、８…第１の貼着フラップ片、９…第２の貼着フラップ片、１２…切り目線、１３…プッシュ開口蓋、１６，１７…切欠部開口端隅角部。
【図１】
0003106605.tif 000003
【図２】
0003106605.tif 000004
【図３】
0003106605.tif 000005
【図４】
0003106605.tif 000006
【図５】
0003106605.tif 000007
【図６】
0003106605.tif 000008
【図７】
0003106605.tif 000009
【図８】
0003106605.tif 000010
【図９】
0003106605.tif 000011
【図１０】
0003106605.tif 000012